(57)【要約】【課題】他人に知られないように利用者がコンテンツを選択することができるコンテンツ選択システム、大画面表示装置及び携帯情報端末を得ることを目的とする。【解決手段】大画面表示装置１のコンテンツ表示装置２が携帯電話５−ｎから送信された選択情報を受信して、その選択情報が示すコンテンツアイコンを特定する選択アイコンをディスプレイ３に表示するとともに、そのコンテンツアイコン以外のコンテンツアイコンを特定するダミーアイコンをディスプレイ３に表示する。【選択図】図１
2008269243.tif 000002
【特許請求の範囲】
【請求項１】
選択可能なコンテンツのコンテンツアイコンを表示する大画面表示装置と、上記大画面表示装置に表示されているコンテンツアイコンの中から、所望のコンテンツのコンテンツアイコンの選択を受け付けて、上記コンテンツアイコンの選択情報を上記大画面表示装置に送信する携帯情報端末とを備えたコンテンツ選択システムにおいて、上記大画面表示装置は、上記携帯情報端末から送信された選択情報を受信し、上記選択情報が示すコンテンツアイコンを特定する選択アイコンを表示するとともに、上記コンテンツアイコン以外のコンテンツアイコンを特定するダミーアイコンを表示することを特徴とするコンテンツ選択システム。
【請求項２】
大画面表示装置は、１つの選択アイコンに対して、複数のダミーアイコンを表示することを特徴とする請求項１記載のコンテンツ選択システム。
【請求項３】
大画面表示装置は、コンテンツアイコンの選択情報が現在選択中のコンテンツアイコンと異なるコンテンツアイコンを示している場合、上記異なるコンテンツアイコンを指し示す位置に選択アイコンを移動するとともに、上記異なるコンテンツアイコン以外のコンテンツアイコンを指し示す位置にダミーアイコンを移動することを特徴とする請求項１または請求項２記載のコンテンツ選択システム。
【請求項４】
大画面表示装置は、携帯情報端末からコンテンツアイコンの選択情報を受信する前の段階では、選択アイコンが特定するコンテンツアイコンを無作為に決定して、上記コンテンツアイコンを指し示す位置に選択アイコンを表示することを特徴とする請求項１または請求項２記載のコンテンツ選択システム。
【請求項５】
大画面表示装置は、携帯情報端末からコンテンツアイコンの最終的な選択結果を示す決定情報を受信すると、上記コンテンツアイコンに対応するコンテンツに関するデータを携帯情報端末に送信することを特徴とする請求項１から請求項４のうちのいずれか１項記載のコンテンツ選択システム。
【請求項６】
携帯情報端末は、コンテンツアイコンの選択を受け付けることが可能になるタイミングで、選択を受け付ける旨を報知することを特徴とする請求項１から請求項５のうちのいずれか１項記載のコンテンツ選択システム。
【請求項７】
選択可能なコンテンツのコンテンツアイコンを表示する大画面表示装置と、上記大画面表示装置に表示されているコンテンツアイコンの中から、所望のコンテンツのコンテンツアイコンの選択を受け付けて、上記コンテンツアイコンの選択情報を上記大画面表示装置に送信する携帯情報端末とを備えたコンテンツ選択システムにおいて、上記携帯情報端末は、上記大画面表示装置に表示されているコンテンツアイコンより簡易な簡易コンテンツアイコンを表示するとともに、現在選択中の簡易コンテンツアイコンを明示することを特徴とするコンテンツ選択システム。
【請求項８】
選択可能なコンテンツのコンテンツアイコンを表示するコンテンツアイコン表示手段と、現在選択中のコンテンツアイコンを特定する選択アイコンを表示する選択アイコン表示手段と、上記コンテンツアイコン以外のコンテンツアイコンを特定するダミーアイコンを表示するダミーアイコン表示手段と、上記選択アイコン表示手段により表示される選択アイコンを携帯情報端末に通知する選択アイコン通知手段と、上記携帯情報端末からコンテンツアイコンの選択情報を受信する選択情報受信手段と、上記選択情報受信手段により受信された選択情報が現在選択中のコンテンツアイコンと異なるコンテンツアイコンを示している場合、上記異なるコンテンツアイコンを指し示す位置に選択アイコンを移動するとともに、上記異なるコンテンツアイコン以外のコンテンツアイコンを指し示す位置にダミーアイコンを移動するアイコン移動手段とを備えた大画面表示装置。
【請求項９】
選択可能なコンテンツのコンテンツアイコンを表示するコンテンツアイコン表示手段と、上記コンテンツアイコン表示手段により表示されるコンテンツアイコンより簡易な簡易コンテンツアイコンを携帯情報端末に通知する簡易コンテンツアイコン通知手段と、上記携帯情報端末から簡易コンテンツアイコンの選択情報を受信する選択情報受信手段とを備えた大画面表示装置。
【請求項１０】
選択可能なコンテンツのコンテンツアイコン、現在選択中のコンテンツアイコンを特定する選択アイコン及び上記コンテンツアイコン以外のコンテンツアイコンを特定するダミーアイコンを表示している大画面表示装置から、上記選択アイコンの通知を受けて、上記選択アイコンを表示する選択アイコン提示手段と、上記大画面表示装置に表示されているコンテンツアイコンの中から、所望のコンテンツのコンテンツアイコンの選択を受け付ける選択受付手段と、上記選択受付手段により選択が受け付けられたコンテンツアイコンの選択情報を上記大画面表示装置に送信する選択情報送信手段とを備えた携帯情報端末。
【請求項１１】
選択可能なコンテンツのコンテンツアイコンを表示している大画面表示装置から、上記コンテンツアイコンより簡易な簡易コンテンツアイコンの通知を受けて、上記簡易コンテンツアイコンを表示する簡易コンテンツアイコン表示手段と、上記簡易コンテンツアイコン表示手段により表示されている簡易コンテンツアイコンの中から、所望のコンテンツの簡易コンテンツアイコンの選択を受け付ける選択受付手段と、上記選択受付手段により選択が受け付けられた簡易コンテンツアイコンの選択情報を上記大画面表示装置に送信する選択情報送信手段とを備えた携帯情報端末。
【発明の詳細な説明】
【技術分野】
【０００１】
この発明は、利用者が携帯情報端末を操作して、大画面表示装置に表示されているコンテンツアイコンの中から、所望のコンテンツのコンテンツアイコンを選択するコンテンツ選択システムと、そのコンテンツ選択システムを構成する大画面表示装置及び携帯情報端末とに関するものである。
【背景技術】
【０００２】
従来のコンテンツ選択システムでは、利用者が携帯情報端末を操作して、大画面表示装置に表示されているコンテンツアイコンの中から、所望のコンテンツのコンテンツアイコンを選択する際、利用者が現在選択しているコンテンツが大画面表示装置上で確認することができるようにするために、現在選択しているコンテンツのコンテンツアイコンの色や形状を、他のコンテンツアイコンの色や形状と異なるようにしている（例えば、特許文献１を参照）。
【０００３】
【特許文献１】特開２００５−３３２０１８号公報（段落番号［００４２］、図１）
【発明の開示】
【発明が解決しようとする課題】
【０００４】
従来のコンテンツ選択システムは以上のように構成されているので、コンテンツアイコンの色や形状を識別すれば、現在選択中のコンテンツを確認することができるが、大画面表示装置の利用者が１人である場合、他人が大画面表示装置を見れば、その利用者がどのコンテンツを選択しているのかが分ってしまう課題があった。
また、大画面表示装置の利用者が複数人である場合、利用者毎に異なる色や形状のコンテンツアイコンを割り当てれば、各利用者が現在選択中のコンテンツを確認することができる。しかし、大画面表示装置の利用者が大人数になると、利用者毎のコンテンツアイコンの種類が増えるため、大画面表示装置におけるコンテンツアイコンの表示が煩雑になり、各利用者が現在選択中のコンテンツを確認することが困難になる課題があった。
【０００５】
この発明は上記のような課題を解決するためになされたもので、他人に知られないように利用者がコンテンツを選択することができるコンテンツ選択システム、大画面表示装置及び携帯情報端末を得ることを目的とする。
また、この発明は、他人に知られないように利用者がコンテンツを選択することができるとともに、大画面表示装置の利用者が大人数になっても、各利用者が現在選択中のコンテンツを容易に確認することができるコンテンツ選択システム、大画面表示装置及び携帯情報端末を得ることを目的とする。
【課題を解決するための手段】
【０００６】
この発明に係るコンテンツ選択システムは、大画面表示装置が携帯情報端末から送信された選択情報を受信して、その選択情報が示すコンテンツアイコンを特定する選択アイコンを表示するとともに、そのコンテンツアイコン以外のコンテンツアイコンを特定するダミーアイコンを表示するようにしたものである。
【発明の効果】
【０００７】
この発明によれば、大画面表示装置が携帯情報端末から送信された選択情報を受信して、その選択情報が示すコンテンツアイコンを特定する選択アイコンを表示するとともに、そのコンテンツアイコン以外のコンテンツアイコンを特定するダミーアイコンを表示するように構成したので、他人に知られないように利用者がコンテンツを選択することができる効果がある。
【発明を実施するための最良の形態】
【０００８】
実施の形態１．
図１はこの発明の実施の形態１によるコンテンツ選択システムを示す構成図であり、図において、大画面表示装置１はコンテンツ表示装置２とディスプレイ３から構成されており、選択可能なコンテンツのコンテンツアイコンを表示する処理を実施する。
コンテンツ表示装置２は例えばコンテンツアイコンの表示を制御するインタラクティブコンテンツ表示アプリを実装しているコンピュータから構成されており、選択可能なコンテンツのコンテンツアイコンをディスプレイ３に表示するほか、携帯電話５−１〜５−Ｎから送信された選択情報を受信し、その選択情報が示すコンテンツアイコンを特定する選択アイコンをディスプレイ３に表示するとともに、そのコンテンツアイコン以外のコンテンツアイコンを特定するダミーアイコンをディスプレイ３に表示する処理などを実施する。
ディスプレイ３は例えば駅前広場や野球場など、多くの利用者が集まる場所に設置される大画面の表示機器である。
【０００９】
ネットワーク４は大画面表示装置１と携帯電話５−１〜５−Ｎ間の通信経路であり、例えば、インターネット、無線ＬＡＮ、ＢＬＵＥＴＯＯＴＨ、赤外線、専用線、ＲＳ２３２Ｃなどが該当する。
【００１０】
携帯電話５−１〜５−Ｎは例えばインタラクティブコンテンツ操作アプリを実装しており、大画面表示装置１のディスプレイ３に表示されているコンテンツアイコンの中から、所望のコンテンツのコンテンツアイコンの選択を受け付けて、そのコンテンツアイコンの選択情報を大画面表示装置１に送信する処理などを実施する。
図１では、携帯情報端末が携帯電話５−１〜５−Ｎである例を示しているが、携帯情報端末は携帯電話５−１〜５−Ｎに限るものではなく、例えば、ＰＤＡ、ノートＰＣなど、利用者のプライバシーを確保することができる端末であれば、いかなる端末でもよい。
なお、インタラクティブコンテンツ操作アプリは、予め携帯電話５−１〜５−Ｎにプリインストールされていてもよいし、例えば、ｉアプリのように、ユーザによって明示的にダウンロードされてインストールされてもよい。また、大画面表示装置１が設置されている位置等に関連付けて、自動的にインストールされるようにしてもよい。
【００１１】
図１では、大画面表示装置１のコンテンツ表示装置２がインタラクティブコンテンツ表示アプリを実装しているコンピュータから構成されているものを示しているが、コンテンツ表示装置２がコンピュータで構成されているものに限るものではなく、図２に示すようなハードウェアを構成要素として有するコンテンツ表示装置２であってもよい。
図２はこの発明の実施の形態１による大画面表示装置１のコンテンツ表示装置２を示す構成図であり、図において、コンテンツデータベース１１は選択可能なコンテンツのコンテンツアイコンを格納するとともに、選択可能なコンテンツに関するデータなどを格納しているメモリである。
【００１２】
コンテンツアイコン表示部１２は例えばＣＰＵなどを実装している半導体集積回路基板から構成されており、コンテンツデータベース１１から選択可能なコンテンツのコンテンツアイコンを取得し、ディスプレイ表示制御部１３を介して、コンテンツアイコンをディスプレイ３に表示する処理を実施する。なお、コンテンツアイコン表示部１２はコンテンツアイコン表示手段を構成している。
ディスプレイ表示制御部１３は例えばＧＰＵなどのグラフィック処理装置などから構成されており、コンテンツアイコン表示部１２、選択アイコン表示部１６及びダミーコンテンツ表示部１７の指示の下、コンテンツアイコン、選択アイコン及びダミーコンテンツなどをディスプレイ３に表示する。
【００１３】
ネットワークＩ／Ｆ１４はネットワーク４に対するインタフェース処理を実施するネットワーク機器であり、携帯電話５−１〜５−Ｎと各種の情報やデータを送受信する。
選択アイコン通知部１５は例えばＣＰＵなどを実装している半導体集積回路基板から構成されており、ネットワークＩ／Ｆ１４が携帯電話５−ｎ（ｎ＝１，２，３・・・，Ｎ）から送信される選択アイコンのＩＤ取得要求を受信すると、任意の選択アイコン（１個）とダミーコンテンツ（複数個）を選定し、ネットワークＩ／Ｆ１４を介して、その選択アイコンを示すアイコンＩＤを携帯電話５−ｎに送信する処理を実施する。なお、選択アイコン通知部１５は選択アイコン通知手段を構成している。
【００１４】
選択アイコン表示部１６は例えばＣＰＵなどを実装している半導体集積回路基板から構成されており、携帯電話５−ｎからコンテンツアイコンの選択情報を受信する前の段階では、選択アイコン通知部１５により選定された選択アイコンが特定するコンテンツアイコンを無作為に決定し、ディスプレイ表示制御部１３を介して、そのコンテンツアイコンを指し示す位置に当該選択アイコンを表示する処理を実施する。なお、選択アイコン表示部１６はコンテンツアイコン表示手段を構成している。
ダミーアイコン表示部１７は例えばＣＰＵなどを実装している半導体集積回路基板から構成されており、選択アイコン通知部１５により選定された複数のダミーコンテンツを、ディスプレイ表示制御部１３を介して、選択アイコンが特定するコンテンツアイコン以外のコンテンツアイコンを指し示す位置に表示する処理を実施する。なお、ダミーアイコン表示部１７はダミーアイコン表示手段を構成している。
【００１５】
選択情報受信部１８は例えばＣＰＵなどを実装している半導体集積回路基板から構成されており、ネットワークＩ／Ｆ１４を介して、携帯電話５−ｎから送信されるコンテンツアイコンの選択情報や、コンテンツアイコンの最終的な選択結果を示す決定情報などを受信する処理を実施する。なお、選択情報受信部１８は選択情報受信手段を構成している。
アイコン移動部１９は例えばＣＰＵなどを実装している半導体集積回路基板から構成されており、選択情報受信部１８により受信された選択情報が現在選択中のコンテンツアイコンと異なるコンテンツアイコンを示している場合、その異なるコンテンツアイコンを指し示す位置に選択アイコンの移動を指示する移動指令を選択アイコン表示部１６に出力するとともに、その異なるコンテンツアイコン以外のコンテンツアイコンを指し示す位置にダミーアイコンの移動を指示する移動指令をダミーアイコン表示部１７に出力する処理を実施する。なお、アイコン移動部１９はアイコン移動手段を構成している。
【００１６】
データ送信部２０は例えばＣＰＵなどを実装している半導体集積回路基板から構成されており、選択情報受信部１８がコンテンツアイコンの最終的な選択結果を示す決定情報を受信すると、コンテンツデータベース１１からそのコンテンツアイコンに対応するコンテンツに関するデータを取得し、ネットワークＩ／Ｆ１４を介して、そのコンテンツに関するデータを携帯電話５−ｎに送信する処理を実施する。
【００１７】
図１では、携帯電話５−ｎがインタラクティブコンテンツ操作アプリを実装して、そのインタラクティブコンテンツ操作アプリが所望のコンテンツのコンテンツアイコンの選択を受け付ける処理や、そのコンテンツアイコンの選択情報を大画面表示装置１に送信する処理などを実施する例を示しているが、携帯電話５−ｎが図３に示すような専用のハードウェアを構成要素として実装するようにしてもよい。
図３はこの発明の実施の形態１による携帯情報端末（携帯電話５−ｎ）を示す構成図である。ただし、図３では、本願発明に係る構成部分のみを示し、一般的な携帯電話の構成部分については省略している。
【００１８】
図３において、ネットワークＩ／Ｆ３１はネットワーク４に対するインタフェース処理を実施する通信処理部（例えば、無線変復調部、アンテナなど）であり、大画面表示装置１と各種の情報やデータを送受信する。
選択アイコン提示部３２は例えばＣＰＵなどを実装している半導体集積回路基板から構成されており、ネットワークＩ／Ｆ３１を介して、選択アイコンのＩＤ取得要求を大画面表示装置１に送信し、ネットワークＩ／Ｆ３１が大画面表示装置１から送信された選択アイコンを示すアイコンＩＤを受信すると、ディスプレイ表示制御部３３を介して、そのアイコンＩＤが示す選択アイコンをディスプレイ３４に表示する処理を実施する。なお、選択アイコン提示部３２は選択アイコン提示手段を構成している。
【００１９】
ディスプレイ表示制御部３３は例えばＧＰＵなどのグラフィック処理装置などから構成されており、選択アイコン提示部３２及びデータ表示部３８の指示の下、選択アイコンやコンテンツに関するデータをディスプレイ３４に表示する。
ディスプレイ３４は携帯電話５−ｎに搭載されている通常の表示機器である。
【００２０】
選択受付部３５は携帯電話５−ｎに搭載されている操作キーの一部のボタン（例えば、移動ボタン、決定ボタン）と連携し、大画面表示装置１のディスプレイ３に表示されているコンテンツアイコンの中から、所望のコンテンツのコンテンツアイコンの選択を受け付けるマンマシンインタフェースである。なお、選択受付部３５は選択受付手段を構成している。
選択情報送信部３６は例えばＣＰＵなどを実装している半導体集積回路基板から構成されており、選択受付部３５により選択が受け付けられたコンテンツアイコンの選択情報を、ネットワークＩ／Ｆ３１を介して、大画面表示装置１に送信する処理を実施する。なお、選択情報送信部３６は選択情報送信手段を構成している。
【００２１】
データ送受信部３７は例えばＣＰＵなどを実装している半導体集積回路基板から構成されており、ネットワークＩ／Ｆ３１を介して、大画面表示装置１から送信されるコンテンツに関するデータを受信する処理などを実施する。
データ表示部３８は例えばＣＰＵなどを実装している半導体集積回路基板から構成されており、データ送受信部３７がコンテンツに関するデータを受信すると、ディスプレイ表示制御部３３を介して、コンテンツに関するデータをディスプレイ３４に表示する処理を実施する。
【００２２】
図４はこの発明の実施の形態１による大画面表示装置１の処理内容を示すフローチャートである。
図５はこの発明の実施の形態１による携帯情報端末（携帯電話５−ｎ）の処理内容を示すフローチャートである。
【００２３】
次に動作について説明する。
この実施の形態１では、コンテンツが店舗広告である例を説明するが、利用者が大画面表示装置１のディスプレイ３に表示される多数の選択肢から選択するようなコンテンツであれば、どのようなコンテンツでも構わない。
【００２４】
大画面表示装置１におけるコンテンツ表示装置２のコンテンツアイコン表示部１２は、ディスプレイ表示制御部１３を介して、図６に示すような初期画面をディスプレイ３に表示する（図４のステップＳＴ１）。
即ち、コンテンツアイコン表示部１２は、コンテンツデータベース１１から選択可能なコンテンツのコンテンツアイコンを取得し、ディスプレイ表示制御部１３を介して、コンテンツアイコンをディスプレイ３に表示する。
【００２５】
図６では、選択可能なコンテンツがＭ個あり、Ｍ個のコンテンツアイコンを表示している例を示している。
なお、初期画面の上部のエリアは、選択アイコン及びダミーアイコンが表示される領域である。
また、図６では、コンテンツアイコンが１行に表示されている例を示しているが、コンテンツアイコンが複数行に表示されるようにしてもよい。ただし、コンテンツアイコンを複数行に表示する場合には、各行毎に選択アイコン及びダミーアイコンを表示するための領域が必要になる。
図７はコンテンツアイコンの表示内容を示す説明図であり、図７では、店舗の簡易情報として、店舗名、店舗の画像、店舗のあるエリア、店舗のある階、店舗のカテゴリなどを表示している例を示している。
【００２６】
コンテンツ表示装置２の選択アイコン通知部１５は、コンテンツアイコン表示部１２がコンテンツアイコンをディスプレイ３に表示すると、ネットワークＩ／Ｆ１４が携帯電話５−ｎ（ｎ＝１，２，３・・・，Ｎ）から送信される選択アイコンのＩＤ取得要求を受信するまで待機する（ステップＳＴ２）。
【００２７】
携帯電話５−ｎを所有している利用者が所望のコンテンツに関するデータの取得を希望する場合、携帯電話５−ｎの操作キーを操作して、データの取得要求を入力する。
携帯電話５−ｎの選択アイコン提示部３２は、利用者がデータの取得要求を入力すると、ネットワークＩ／Ｆ３１を介して、選択アイコンのＩＤ取得要求を大画面表示装置１に送信する（図５のステップＳＴ１０１）。
【００２８】
コンテンツ表示装置２の選択アイコン通知部１５は、ネットワークＩ／Ｆ１４が携帯電話５−ｎから送信される選択アイコンのＩＤ取得要求を受信すると（図４のステップＳＴ２、ＳＴ３）、予め用意されている複数の選択アイコンのうち、現在使用されていない選択アイコンの中から、任意の選択アイコンを１個選定する。また、選択アイコンと異なる複数個のダミーアイコンを選定する。
【００２９】
コンテンツ表示装置２の選択アイコン表示部１６は、選択アイコン通知部１５が選択アイコンを選定すると、ディスプレイ表示制御部１３を介して、図８に示すように、コンテンツアイコンの上部に選択アイコンを表示する（図４のステップＳＴ４）。
ただし、携帯電話５−ｎからコンテンツアイコンの選択情報を受信する前の段階では、選択アイコン通知部１５により選定された選択アイコンが特定するコンテンツアイコンを無作為に決定し、そのコンテンツアイコンを指し示す位置に選択アイコンを表示する。
図８では、選択アイコンが“☆”であり、選択アイコン“☆”がコンテンツアイコン（１）を指し示す位置に表示している例を示している。
【００３０】
また、コンテンツ表示装置２のダミーアイコン表示部１７は、選択アイコン通知部１５が複数のダミーコンテンツを選定すると、ディスプレイ表示制御部１３を介して、図８に示すように、選択アイコンが特定するコンテンツアイコン以外のコンテンツアイコンの上部にダミーアイコンを表示する（図４のステップＳＴ４）。
図８では、ダミーアイコンが“◎”“◇”であり、ダミーアイコン“◎”がコンテンツアイコン（２）、ダミーアイコン“◇”がコンテンツアイコン（３）を指し示す位置に表示している例を示している。
なお、選択アイコンとダミーアイコンは、別々の外見を持つアイコンであればよく、例えば、形が同じでも、色が異なればよい。
また、選択アイコンとダミーアイコン内に異なる文字や数字を表示して、別々の外見を有するようにしてもよい。
【００３１】
コンテンツ表示装置２の選択アイコン通知部１５は、上記のように、任意の選択アイコン“☆”を選定すると、ネットワークＩ／Ｆ１４を介して、その選択アイコン“☆”を示すアイコンＩＤを携帯電話５−ｎに送信する（ステップＳＴ５）。
また、選択アイコン通知部１５は、選択アイコン“☆”を示すアイコンＩＤと一緒にテンポラリデータを携帯電話５−ｎに送信する（ステップＳＴ５）。
ここで、テンポラリデータは、以後、携帯電話５−ｎから要求が送信されて来たとき、その携帯電話５−ｎが有効なものであるか否かをチェックするためのものである。
例えば、携帯電話５−ｎから選択アイコンのＩＤ取得要求を受信したときの時刻をテンポラリデータとして利用する。
ただし、テンポラリデータは、ユニークなデータであれば、ＩＤ取得要求の受信時刻に限るものではない。
【００３２】
コンテンツ表示装置２の選択情報受信部１８は、選択アイコン通知部１５が選択アイコン“☆”を示すアイコンＩＤとテンポラリデータを携帯電話５−ｎに送信すると、ネットワークＩ／Ｆ１４が携帯電話５−ｎから送信される選択アイコンの移動要求を受信するまで待機する（ステップＳＴ２）。
【００３３】
携帯電話５−ｎの選択アイコン提示部３２は、ネットワークＩ／Ｆ３１が大画面表示装置１から送信された選択アイコン“☆”を示すアイコンＩＤとテンポラリデータを受信すると（図５のステップＳＴ１０２）、そのテンポラリデータを選択情報送信部３６に出力するとともに、ディスプレイ表示制御部３３を介して、図１０に示すような初期画面をディスプレイ３４に表示する（ステップＳＴ１０３）。
即ち、選択アイコン提示部３２は、例えば、選択アイコンの画像情報を保持している図示せぬセンターやＷｅｂサーバなどに問い合わせて、アイコンＩＤが示す選択アイコン“☆”の画像情報を取得することにより（予め携帯電話５−ｎが、大画面表示装置１が保持している選択アイコンと同一の選択アイコン、あるいは、大画面表示装置１が保持している選択アイコンに相当する簡易な選択アイコンを図示せぬメモリに保持している場合には、センターやサーバ装置などから選択アイコンの画像情報を取得する必要はない）、その選択アイコン“☆”をディスプレイ３４に表示する。
【００３４】
ここでは、選択アイコン提示部３２が大画面表示装置１から選択アイコン“☆”を示すアイコンＩＤを受信するものについて示したが、大画面表示装置１から選択アイコン“☆”を受信するようにしてもよい。
携帯電話５−ｎのディスプレイ３４には、図１０に示すように、選択アイコン“☆”の他に、コンテンツに関するデータを表示する領域が設けられているが、初期画面には、コンテンツに関するデータは表示されない。
なお、コンテンツに関するデータの表示領域の下部には、コンテンツアイコンを選択する際に使用する移動ボタンと、最終的な選択結果を指定する決定ボタンとが設けられている。
【００３５】
携帯電話５−ｎの選択受付部３５は、選択アイコン提示部３２が選択アイコン“☆”をディスプレイ３４に表示すると、利用者が大画面表示装置１のディスプレイ３に表示されているコンテンツアイコンを見て、所望のコンテンツのコンテンツアイコンを選択する操作を行うまで待機する（図５のステップＳＴ１０４）。
選択受付部３５は、利用者が移動ボタンを操作すると（ステップＳＴ１０５）、その移動ボタンの操作の受け付けを行う。
携帯電話５−ｎの選択情報送信部３６は、選択受付部３５が移動ボタンの操作を受け付けると、コンテンツアイコンの選択情報として、選択アイコンの移動要求（右の移動ボタンがＡ回操作された場合には、選択アイコンを右側にアイコンＡ個分の移動を要求し、左の移動ボタンがＢ回操作された場合には、選択アイコンを左側にアイコンＢ個分の移動を要求するものであり、この移動要求は、選択アイコンの移動方向及び移動量と、選択アイコンを示すアイコンＩＤを含んでいる）を、ネットワークＩ／Ｆ３１を介して、大画面表示装置１に送信する（ステップＳＴ１０６）。
また、選択情報送信部３６は、選択アイコンの移動要求と一緒に、先に選択アイコン提示部３２から出力されたテンポラリデータ（大画面表示装置１から送信されたテンポラリデータ）を大画面表示装置１に送信する。
【００３６】
コンテンツ表示装置２の選択情報受信部１８は、ネットワークＩ／Ｆ１４が携帯電話５−ｎから送信された選択アイコンの移動要求（コンテンツアイコンの選択情報）とテンポラリデータを受信すると（図４のステップＳＴ２、ＳＴ３）、そのテンポラリデータが有効であるか否かを判定する（ステップＳＴ６）。
即ち、選択情報受信部１８は、そのテンポラリデータが、先に携帯電話５−ｎに送信したテンポラリデータ（携帯電話５−ｎからＩＤ取得要求を受信した時刻）と一致していれば、そのテンポラリデータが有効であると判定し、一致していなければ、そのテンポラリデータが無効であると判定する。
【００３７】
選択情報受信部１８は、そのテンポラリデータが無効であると判定すると、そのテンポラリデータが無効である旨を示す応答を携帯電話５−ｎに送信し（ステップＳＴ７）、ステップＳＴ２の処理に戻る。
選択情報受信部１８は、そのテンポラリデータが有効であると判定すると、現在の時刻をアクセスタイムとして、テンポラリデータに対応付けて保存する（ステップＳＴ８）。
また、選択情報受信部１８は、携帯電話５−ｎから送信された要求が選択アイコンの移動要求であれば（ステップＳＴ９）、その選択アイコンの移動要求をアイコン移動部１９に出力する。
【００３８】
コンテンツ表示装置２のアイコン移動部１９は、選択情報受信部１８から選択アイコンの移動要求を受けると、その移動要求に含まれている移動方向に移動量だけ、その移動要求に含まれているアイコンＩＤに対応する選択アイコン“☆”の移動を指示する移動指令を選択アイコン表示部１６に出力する。
コンテンツ表示装置２の選択アイコン表示部１６は、アイコン移動部１９から移動指令を受けると、その移動指令にしたがってディスプレイ３に表示されている選択アイコン“☆”を移動する（ステップＳＴ１０）。
【００３９】
また、アイコン移動部１９は、ダミーアイコン“◎”“◇”の移動を指示する移動指令をダミーアイコン表示部１７に出力する。
コンテンツ表示装置２のダミーアイコン表示部１７は、アイコン移動部１９から移動指令を受けると、その移動指令にしたがってディスプレイ３に表示されているダミーアイコン“◎”“◇”を移動する（ステップＳＴ１１）。
【００４０】
ここで、ダミーアイコンの移動を具体的に説明する。
ダミーアイコンをランダムに動かしてしまうと、利用者がある目的をもって移動させた場合と動きが異なるため、どれが選択アイコンで、どれがダミーアイコンであるかが他人に知られてしまう可能性が高くなる。
そこで、この実施の形態１では、図９に示すような移動処理を実施する。
【００４１】
アイコン移動部１９は、ダミーアイコンの移動先（目的位置）として、移動後の選択アイコン“☆”が指し示すコンテンツアイコンと異なるコンテンツアイコンをランダムに決定する（図９のステップＳＴ２１）。
また、アイコン移動部１９は、ダミーアイコンの目的位置までの移動ルートを決定する（ステップＳＴ２２）。
【００４２】
アイコン移動部１９は、選択アイコン表示部１６により選択アイコンの表示位置が更新されるまで待機し（ステップＳＴ２３）、その選択アイコンの移動先が、ダミーアイコンを移動させる位置（移動ルートにおける次の移動位置）と同じであるか否かを判定する（ステップＳＴ２４）。
アイコン移動部１９は、選択アイコンの移動先と同じでなければ、その位置にダミーアイコンを移動させるダミーアイコンの移動指令をダミーアイコン表示部１７に出力する。
ダミーアイコン表示部１７は、アイコン移動部１９から移動指令を受けると、その移動指令にしたがってディスプレイ３に表示されているダミーアイコンを移動する（ステップＳＴ２５）。
【００４３】
アイコン移動部１９は、移動したダミーアイコンの位置が目的位置であるか否かを判定し（ステップＳＴ２６）、ダミーアイコンの位置が目的位置でなければ、ステップＳＴ２３の処理に戻り、ダミーアイコンの位置が目的位置であれば、ステップＳＴ２１の処理に戻る。
【００４４】
アイコン移動部１９は、選択アイコンの移動先が、ダミーアイコンを移動させる位置（移動ルートにおける次の移動位置）と同じであるか否かを判定し（ステップＳＴ２４）、同じである場合には、ダミーアイコンを移動させる位置以外に、既に移動を終えた他のダミーアイコンが存在するか否かを判定する（ステップＳＴ２７）。
アイコン移動部１９は、他のダミーアイコンが存在しない場合には、ダミーアイコンの移動指令をダミーアイコン表示部１７に出力する（ステップＳＴ２５）。
アイコン移動部１９は、他のダミーアイコンが存在する場合には、先に決定した移動ルートを別の移動ルートに変更し（ステップＳＴ２８）、別の移動ルートにおける次の移動位置にダミーアイコンを移動させる移動指令をダミーアイコン表示部１７に出力する（ステップＳＴ２５）。
【００４５】
アイコン移動部１９は、上記のようにして、選択アイコン及びダミーアイコンの移動処理を実施すると、携帯電話５−ｎに対する応答として、移動処理の処理結果を携帯電話５−ｎに送信する（図４のステップＳＴ１２）。
【００４６】
携帯電話５−ｎのデータ送受信部３７は、選択情報送信部３６が選択アイコンの移動要求を大画面表示装置１に送信したのち、大画面表示装置１から応答を受信すると（図５のステップＳＴ１０７）、その応答が、テンポラリデータが無効である旨を示す応答であるか否かを判定する（ステップＳＴ１０８）。
携帯電話５−ｎのデータ表示部３８は、テンポラリデータが無効である旨を示す応答である場合、ディスプレイ表示制御部３３を介して、エラーの発生を利用者に知らせるダイアログをディスプレイ３４に表示して（ステップＳＴ１０９）、選択操作を継続するか否かを利用者に尋ねる（ステップＳＴ１１０）。
利用者が選択操作の継続を希望しない場合には、一連の処理を終了し、利用者が選択操作の継続を希望する場合には、ステップＳＴ１０１の処理に戻る。
【００４７】
データ表示部３８は、テンポラリデータが無効である旨を示す応答でない場合、移動処理の処理結果が処理失敗である旨を示しているか否かを判定し（ステップＳＴ１１１）、処理失敗である旨を示していれば、エラーの発生を利用者に知らせるダイアログをディスプレイ３４に表示して（ステップＳＴ１０９）、選択操作を継続するか否かを利用者に尋ねる（ステップＳＴ１１０）。
移動処理の処理結果が処理成功である旨を示していれば、ステップＳＴ１０４の処理に戻る。
【００４８】
次に、携帯電話５−ｎの選択受付部３５は、利用者が決定ボタンを操作すると（ステップＳＴ１０４、ＳＴ１０５、ＳＴ１１２）、その決定ボタンの操作の受け付けを行う。
携帯電話５−ｎの選択情報送信部３６は、選択受付部３５が決定ボタンの操作を受け付けると、コンテンツアイコンの最終的な選択結果を示す決定情報として、選択アイコンの決定要求（選択アイコン“☆”を示すアイコンＩＤを含む）をネットワークＩ／Ｆ３１を介して、大画面表示装置１に送信する（ステップＳＴ１１３）。
また、選択情報送信部３６は、選択アイコンの決定要求と一緒に、先に選択アイコン提示部３２から出力されたテンポラリデータ（大画面表示装置１から送信されたテンポラリデータ）を大画面表示装置１に送信する。
【００４９】
コンテンツ表示装置２の選択情報受信部１８は、ネットワークＩ／Ｆ１４が携帯電話５−ｎから送信された選択アイコンの決定要求とテンポラリデータを受信すると（図４のステップＳＴ２、ＳＴ３）、そのテンポラリデータが有効であるか否かを判定する（ステップＳＴ６）。
即ち、選択情報受信部１８は、そのテンポラリデータが、先に携帯電話５−ｎに送信したテンポラリデータ（携帯電話５−ｎからＩＤ取得要求を受信した時刻）と一致していれば、そのテンポラリデータが有効であると判定し、一致していなければ、そのテンポラリデータが無効であると判定する。
【００５０】
選択情報受信部１８は、そのテンポラリデータが無効であると判定すると、そのテンポラリデータが無効である旨を示す応答を携帯電話５−ｎに送信し（ステップＳＴ７）、ステップＳＴ２の処理に戻る。
選択情報受信部１８は、そのテンポラリデータが有効であると判定すると、現在の時刻をアクセスタイムとして、テンポラリデータに対応付けて保存する（ステップＳＴ８）。
また、選択情報受信部１８は、携帯電話５−ｎから送信された要求が選択アイコンの移動要求でなければ（ステップＳＴ９）、携帯電話５−ｎから送信された要求が選択アイコンの決定要求であるか否かを判定する（ステップＳＴ１３）。
【００５１】
コンテンツ表示装置２のデータ送信部２０は、携帯電話５−ｎから送信された要求が選択アイコンの決定要求であれば、その決定要求に含まれているアイコンＩＤが示す選択アイコンを認識して、コンテンツデータベース１１から当該選択アイコンが現在指し示しているコンテンツアイコンに対応するコンテンツに関するデータを取得し、ネットワークＩ／Ｆ１４を介して、そのコンテンツに関するデータを携帯電話５−ｎに送信する（ステップＳＴ１４）。
【００５２】
コンテンツに関するデータとしては、例えば、店舗検索であれば、店舗の詳細情報やクーポンなどが該当する。店舗の人気投票であれば、投票が完了した旨を利用者に知らせる情報となる。
ここで、投票が完了した旨を利用者に知らせる情報を送信する理由は、通常、大画面表示装置１を用いる人気投票システムでは、利用者が自己の投票結果を分かるようにするために、大画面表示装置１に表示されているコンテンツアイコンや選択アイコンが押されたような表示に変わったり、色を反転させたり、光らせたりすることがあるが、このような場合には、利用者の投票結果が他人に知れてしまうからである。
なお、携帯電話５−ｎから送信された要求が選択アイコンの決定要求でなければ、ステップＳＴ２の処理に戻る。
【００５３】
携帯電話５−ｎのデータ送受信部３７は、選択情報送信部３６が選択アイコンの決定要求を大画面表示装置１に送信したのち、大画面表示装置１から応答（コンテンツに関するデータ）を受信すると（図５のステップＳＴ１１４）、その応答が、テンポラリデータが無効である旨を示す応答であるか否かを判定する（ステップＳＴ１１５）。
携帯電話５−ｎのデータ表示部３８は、テンポラリデータが無効である旨を示す応答である場合、ディスプレイ表示制御部３３を介して、エラーの発生を利用者に知らせるダイアログをディスプレイ３４に表示して（ステップＳＴ１０９）、選択操作を継続するか否かを利用者に尋ねる（ステップＳＴ１１０）。
携帯電話５−ｎのデータ表示部３８は、テンポラリデータが無効である旨を示す応答ではなく、コンテンツに関するデータであれば、ディスプレイ表示制御部３３を介して、コンテンツに関するデータをディスプレイ３４の中央部に表示する（ステップＳＴ１１６）。
【００５４】
コンテンツ表示装置２は、上記の処理のほかに、選択アイコンの削除スレッドも実行している。
選択アイコンの削除スレッドは、ある一定のタイミングで、アクセスタイムと現在時刻をチェックし、アクセスタイムと現在時刻の時刻差が、一定の時間以上である場合、アクセスタイムに関連付けられているテンポラリデータを削除すると同時に、このテンポラリデータに関連付けられたコンテンツＩＤに対応する選択アイコン及びダミーアイコンを大画面表示装置１のディスプレイ３から削除するものである。
【００５５】
ここでは、選択アイコン及びダミーアイコンが、携帯電話５−ｎからのアクセスに応じて表示や削除が行われるが、ステップＳＴ１の初期画面の表示のタイミングで、選択アイコン及びダミーアイコンを予め表示しておくことによって、選択アイコンの削除スレッドでの大画面表示装置１からの選択アイコン及びダミーアイコンの削除処理を省略することができる。
【００５６】
以上で明らかなように、この実施の形態１によれば、大画面表示装置１のコンテンツ表示装置２が携帯電話５−ｎから送信された選択情報を受信して、その選択情報が示すコンテンツアイコンを特定する選択アイコンをディスプレイ３に表示するとともに、そのコンテンツアイコン以外のコンテンツアイコンを特定するダミーアイコンをディスプレイ３に表示するように構成したので、他人に知られないように利用者がコンテンツを選択することができる効果を奏する。
【００５７】
また、この実施の形態１によれば、コンテンツアイコンの選択情報が現在選択中のコンテンツアイコンと異なるコンテンツアイコンを示している場合、その異なるコンテンツアイコンを指し示す位置に選択アイコンを移動するとともに、その異なるコンテンツアイコン以外のコンテンツアイコンを指し示す位置にダミーアイコンを移動するように構成したので、現在選択中のコンテンツアイコンを変更しても、他人に知られないように利用者がコンテンツを選択することができる効果を奏する。
【００５８】
また、この実施の形態１によれば、携帯端末５−ｎからコンテンツアイコンの選択情報を受信する前の段階では、選択アイコンが特定するコンテンツアイコンを無作為に決定して、そのコンテンツアイコンを指し示す位置に選択アイコンを表示するように構成したので、利用者が選択アイコンの移動操作を開始する前から選択アイコンがディスプレイ２に表示されているようになり、その結果、どの利用者が選択アイコンの移動操作を開始したのかを他人に知られないで済む効果が得られる。
【００５９】
実施の形態２．
上記実施の形態１では、特に言及していないが、選択受付部３５がコンテンツアイコンの選択を受け付けることが可能になるタイミングで、選択を受け付ける旨を報知するようにしてもよい。
即ち、図５のステップＳＴ１０６及びステップＳＴ１１３の前に有効な操作であることを利用者に知らせるために、図示せぬ携帯電話５−ｎのスピーカから音を鳴らしたり、バイブレータを振動させたりするようにしてもよい。
これにより、利用者が携帯電話５−ｎを用いて、コンテンツの選択操作を行う際、選択アイコンの確認後は、携帯電話５−ｎのディスプレイ３４を見ずに、大画面表示装置１のディスプレイ３のみを見て、操作を行うことができる効果を奏する。
【００６０】
実施の形態３．
図１１はこの発明の実施の形態３によるコンテンツ選択システムを示す構成図であり、図において、図１と同一符号は同一または相当部分を示すので説明を省略する。
大画面表示装置６はコンテンツ表示装置７とディスプレイ３から構成されており、選択可能なコンテンツのコンテンツアイコンを表示する処理を実施する。
コンテンツ表示装置７は例えばコンテンツアイコンの表示を制御するコンテンツ表示アプリを実装しているコンピュータから構成されており、選択可能なコンテンツのコンテンツアイコンをディスプレイ３に表示するとともに、そのコンテンツアイコンより簡易な簡易コンテンツアイコンのリストを携帯電話８−１〜８−Ｎに送信する処理などを実施する。
【００６１】
携帯電話８−１〜８−Ｎは例えばコンテンツ部分表示操作アプリを実装しており、大画面表示装置６のディスプレイ３に表示されているコンテンツアイコンより簡易な簡易コンテンツアイコンを表示するとともに、現在選択中の簡易コンテンツアイコンを特定する選択枠を表示し、また、所望のコンテンツの簡易コンテンツアイコンの選択を受け付けて、その簡易コンテンツアイコンの選択情報を大画面表示装置６に送信する処理などを実施する。
図１１では、携帯情報端末が携帯電話８−１〜８−Ｎである例を示しているが、携帯情報端末は携帯電話８−１〜８−Ｎに限るものではなく、例えば、ＰＤＡ、ノートＰＣなど、利用者のプライバシーを確保することができる端末であれば、いかなる端末でもよい。
なお、コンテンツ部分表示操作アプリは、予め携帯電話８−１〜８−Ｎにプリインストールされていてもよいし、例えば、ｉアプリのように、ユーザによって明示的にダウンロードされてインストールされてもよい。また、大画面表示装置６が設置されている位置等に関連付けて、自動的にインストールされるようにしてもよい。
【００６２】
図１１では、大画面表示装置６のコンテンツ表示装置７がコンテンツ表示アプリを実装しているコンピュータから構成されているものを示しているが、コンテンツ表示装置７がコンピュータで構成されているものに限るものではなく、図１２に示すようなハードウェアを構成要素として有するコンテンツ表示装置７であってもよい。
図１２はこの発明の実施の形態３による大画面表示装置６のコンテンツ表示装置７を示す構成図であり、図において、図２と同一符号は同一または相当部分を示すので説明を省略する。
【００６３】
コンテンツデータベース２１は選択可能なコンテンツのコンテンツアイコンを格納するとともに、選択可能なコンテンツのコンテンツアイコンより簡易な簡易コンテンツアイコンのリストを格納し、また、選択可能なコンテンツに関するデータなどを格納しているメモリである。
簡易コンテンツアイコン通知部２２は例えばＣＰＵなどを実装している半導体集積回路基板から構成されており、コンテンツデータベース２１から簡易コンテンツアイコンのリストを取得し、ネットワークＩ／Ｆ１４を介して、その簡易コンテンツアイコンのリストを携帯電話８−ｎ（ｎ＝１，２，３・・・，Ｎ）に送信する処理を実施する。なお、簡易コンテンツアイコン通知部２２は簡易コンテンツアイコン通知手段を構成している。
【００６４】
データ取得要求受信部２３は例えばＣＰＵなどを実装している半導体集積回路基板から構成されており、ネットワークＩ／Ｆ１４が携帯電話８−ｎから送信されたコンテンツデータの取得要求（コンテンツアイコンの選択情報）を受信すると、そのデータの送信指令をデータ送信部２４に出力する処理を実施する。なお、データ取得要求受信部２３は選択情報受信手段を構成している。
データ送信部２４は例えばＣＰＵなどを実装している半導体集積回路基板から構成されており、データ取得要求受信部２３からデータの送信指令を受けると、コンテンツデータベース２１からコンテンツデータの取得要求に含まれているアイコンＩＤが示す簡易コンテンツアイコンに対応するコンテンツに関するデータを取得し、ネットワークＩ／Ｆ１４を介して、そのコンテンツに関するデータを携帯電話８−ｎに送信する処理を実施する。
【００６５】
図１１では、携帯電話８−ｎがコンテンツ部分表示操作アプリを実装して、そのコンテンツ部分表示操作アプリが大画面表示装置６から簡易コンテンツアイコンのリストを受信して、簡易コンテンツアイコンを表示するとともに、現在選択中の簡易コンテンツアイコンを特定する選択枠を表示する処理や、所望のコンテンツの簡易コンテンツアイコンの選択を受け付けて、その簡易コンテンツアイコンの選択情報を大画面表示装置６に送信する処理などを実施する例を示しているが、携帯電話８−ｎが図１３に示すような専用のハードウェアを構成要素として実装するようにしてもよい。
図１３はこの発明の実施の形態３による携帯情報端末（携帯電話８−ｎ）を示す構成図である。ただし、図１３では、本願発明に係る構成部分のみを示し、一般的な携帯電話の構成部分については省略している。
【００６６】
図１３において、図３と同一符号は同一または相当部分を示すので説明を省略する。
簡易コンテンツアイコン取得部４１は例えばＣＰＵなどを実装している半導体集積回路基板から構成されており、ネットワークＩ／Ｆ３１を介して、簡易コンテンツアイコンのリスト取得要求を大画面表示装置６に送信する処理のほか、ネットワークＩ／Ｆ３１が大画面表示装置６から送信された簡易コンテンツアイコンのリストを取得し、また、例えば、図示せぬセンターやＷｅｂサーバなどに問い合わせて、そのリストに含まれている簡易コンテンツアイコンの画像情報を取得する処理を実施する。
簡易コンテンツアイコン表示部４２は例えばＣＰＵなどを実装している半導体集積回路基板から構成されており、ディスプレイ表示制御部３３を介して、簡易コンテンツアイコンをディスプレイ３４に表示する処理を実施する。
なお、簡易コンテンツアイコン取得部４１及び簡易コンテンツアイコン表示部４２から簡易コンテンツアイコン表示手段が構成されている。
【００６７】
選択受付部４３は携帯電話８−ｎに搭載されている操作キーの一部のボタン（例えば、移動ボタン、決定ボタン）と連携し、携帯電話８−ｎのディスプレイ３４に表示されている簡易コンテンツアイコンの中から、所望のコンテンツの簡易コンテンツアイコンの選択を受け付けるとともに、簡易コンテンツアイコンの最終的な選択結果を示す決定情報の入力を受け付けるマンマシンインタフェースである。なお、選択受付部４３は選択受付手段を構成している。
決定情報送信部４４は例えばＣＰＵなどを実装している半導体集積回路基板から構成されており、ネットワークＩ／Ｆ３１を介して、選択受付部４３により入力が受け付けられた決定情報を大画面表示装置６に送信する処理を実施する。なお、決定情報送信部４４は選択情報送信手段を構成している。
【００６８】
図１４はこの発明の実施の形態３による大画面表示装置６の処理内容を示すフローチャートである。
図１５はこの発明の実施の形態３による携帯情報端末（携帯電話８−ｎ）の処理内容を示すフローチャートである。
【００６９】
次に動作について説明する。
上記実施の形態１では、一人の利用者が大画面表示装置６のディスプレイ３を見ながら、携帯電話５−ｎを操作して、所望のコンテンツのコンテンツアイコンを選択するものについて示したが、利用者が複数人存在する場合でも、選択アイコンが利用者毎に異なるため、複数の利用者が同時にコンテンツアイコンの選択操作を行うことができる。
しかし、利用者が大人数になると、数多くの選択アイコンやダミーアイコンが大画面表示装置６のディスプレイ３に表示されて、ディスプレイ３の表示内容が煩雑になり、選択操作が困難になることがある。
この実施の形態３では、利用者が大人数であっても、各利用者が容易にコンテンツの選択操作を行えるコンテンツ選択システムについて示している。
【００７０】
大画面表示装置６におけるコンテンツ表示装置７のコンテンツアイコン表示部１２は、ディスプレイ表示制御部１３を介して、図１６に示すような初期画面をディスプレイ３に表示する（図１４のステップＳＴ３１）。
即ち、コンテンツアイコン表示部１２は、コンテンツデータベース２１から選択可能なコンテンツのコンテンツアイコンを取得し、ディスプレイ表示制御部１３を介して、コンテンツアイコンをディスプレイ３に表示する。
【００７１】
図１６では、選択可能なコンテンツがＭ個あり、Ｍ個のコンテンツアイコンを表示している例を示している。
また、Ｍ個のコンテンツアイコンには、他のコンテンツアイコンとの識別を容易にするため、コンテンツアイコンのアイコンＩＤを示すコンテンツアイコンＩＤボックスが付随されている。
図１６の例では、コンテンツアイコンＩＤボックスがコンテンツアイコンの右下に表示されているが、コンテンツアイコンの内容を隠さず、コンテンツアイコンに関連付けられる位置であれば、コンテンツアイコンの右下以外の位置に表示されてもよい。
また、図１６の例では、コンテンツアイコンＩＤが１〜Ｍの数字で表されているが、順番が決まっているものであれば、数字に限るものではなく、例えば、アルファベットなどで表されていてもよい。
【００７２】
ただし、アルファベットは２６個しかないため、２７個以上のコンテンツアイコンを表示する場合には、例えば、コンテンツアイコンを表示している行と列に、それぞれアルファベットを割り当てることにより、１行１列目のコンテンツアイコンには“ＡＡ”のコンテンツアイコンＩＤ、２行１列目のコンテンツアイコンには“ＢＡ”のコンテンツアイコンＩＤを表示するようにしてもよい。
また、コンテンツアイコンＩＤをアルファベット３文字で表現する場合には、例えば、コンテンツアイコンＩＤを“ＡＡＡ”，“ＡＡＢ”，・・・，“ＡＡＺ”、“ＡＢＡ”，“ＡＢＢ”，・・・のような順番で割り当ててもよい。
ただし、コンテンツアイコンＩＤは、コンテンツアイコンＩＤボックスに表示される関係上、あまり長いものは分かりづらくなるので、最大でも３文字程度が望ましい。
なお、図１６の例では、コンテンツアイコンＩＤボックスをコンテンツアイコンと関連付けて表示しているが、アイコンＩＤは内部的に使用するだけで、アイコンＩＤと関係しないものをコンテンツアイコンと関連付けて表示するようにしてもよい。
【００７３】
コンテンツ表示装置７の簡易コンテンツアイコン通知部２２は、コンテンツアイコン表示部１２がコンテンツアイコンをディスプレイ３に表示すると、ネットワークＩ／Ｆ１４が携帯電話８−ｎから送信される簡易コンテンツアイコンのリスト取得要求を受信するまで待機する（ステップＳＴ３２）。
【００７４】
携帯電話８−ｎを所有している利用者が所望のコンテンツに関するデータの取得を希望する場合、携帯電話８−ｎの操作キーを操作して、データの取得要求を入力する。
携帯電話８−ｎの簡易コンテンツアイコン取得部４１は、利用者がデータの取得要求を入力すると、ネットワークＩ／Ｆ３１を介して、簡易コンテンツアイコンのリスト取得要求を大画面表示装置６に送信する（図１５のステップＳＴ１２１）。
【００７５】
コンテンツ表示装置７の簡易コンテンツアイコン通知部２２は、ネットワークＩ／Ｆ１４が携帯電話８−ｎから送信された簡易コンテンツアイコンのリスト取得要求を受信すると（図１４のステップＳＴ３２、ＳＴ３３）、コンテンツデータベース２１から簡易コンテンツアイコンのリストを取得し、ネットワークＩ／Ｆ１４を介して、その簡易コンテンツアイコンのリストを携帯電話８−ｎに送信する（ステップＳＴ３４）。
ここで、簡易コンテンツアイコンのリストには、簡易コンテンツアイコンのアイコンＩＤの他に、簡易コンテンツアイコンのアイコン数や、ディスプレイ３に表示されているコンテンツアイコン（簡易コンテンツアイコンに対応するコンテンツアイコン）の行数及び列数などを含んでいる。
【００７６】
コンテンツ表示装置７のデータ取得要求受信部２３は、簡易コンテンツアイコン通知部２２が簡易コンテンツアイコンのリストを携帯電話８−ｎに送信すると、ネットワークＩ／Ｆ１４が携帯電話８−ｎから送信されるコンテンツデータの取得要求を受信するまで待機する（ステップＳＴ３２）。
【００７７】
携帯電話８−ｎの簡易コンテンツアイコン取得部４１は、ネットワークＩ／Ｆ３１が大画面表示装置６から送信された簡易コンテンツアイコンのリストを受信すると（図１５のステップＳＴ１２２）、簡易コンテンツアイコンのリストに含まれているアイコンＩＤを参照して、例えば、簡易コンテンツアイコンの画像情報を保持している図示せぬセンターやＷｅｂサーバなどに問い合わせることにより、アイコンＩＤが示す簡易コンテンツアイコンの画像情報を取得する。
【００７８】
ここでは、簡易コンテンツアイコン取得部４１が、外部のＷｅｂサーバなどから簡易コンテンツアイコンの画像情報を取得するものについて示したが、大画面表示装置６から取得するようにしてもよい。
また、携帯電話８−ｎが、大画面表示装置６が保持している簡易コンテンツアイコンと同一の簡易コンテンツアイコン、あるいは、大画面表示装置６が保持している簡易コンテンツアイコンに相当する簡易コンテンツアイコンを図示せぬメモリに保持している場合には、センターやサーバ装置などから簡易コンテンツアイコンの画像情報を取得する必要はない。
ここでは、簡易コンテンツアイコン取得部４１が簡易コンテンツアイコンの画像情報を取得するものについて示したが、携帯電話８−ｎの画像処理機能が高機能化されている場合には、簡易コンテンツアイコンではなく、ディスプレイ３に表示されているコンテンツアイコンの画像情報を取得するようにしてもよい。
【００７９】
携帯電話８−ｎの簡易コンテンツアイコン表示部４２は、簡易コンテンツアイコン取得部４１が簡易コンテンツアイコンの画像情報を取得すると、ディスプレイ表示制御部３３を介して、図１７に示すような初期画面をディスプレイ３４に表示する（ステップＳＴ１２３）。
即ち、簡易コンテンツアイコン表示部４２は、簡易コンテンツアイコンのリストに含まれている簡易コンテンツアイコンのアイコン数や、ディスプレイ３に表示されているコンテンツアイコン（簡易コンテンツアイコンに対応するコンテンツアイコン）の行数及び列数を参照して、ディスプレイ３４に表示する簡易コンテンツアイコンの位置が、ディスプレイ３に表示されているコンテンツアイコンと対応するように決定して、簡易コンテンツアイコンをディスプレイ３４に表示する。
例えば、大画面表示装置６のディスプレイ３において、表示行が上であり、表示列が左であるコンテンツアイコンに対応する簡易コンテンツアイコンほど、ディスプレイ３４の左側に表示されるように、簡易コンテンツアイコンの表示位置を決定する。
図１７の例では、簡易コンテンツアイコンとして、ディスプレイ３に表示されているコンテンツアイコンに付随しているコンテンツアイコンＩＤボックスと同じ内容が表示されている。
【００８０】
また、簡易コンテンツアイコン表示部４２は、図１７に示すように、簡易コンテンツアイコンの他に、現在選択されている簡易コンテンツアイコンを特定する選択枠をディスプレイ３４に表示する。
なお、ディスプレイ３４には、コンテンツに関するデータを表示する領域が設けられているが、初期画面には、コンテンツに関するデータは表示されない。
コンテンツに関するデータの表示領域の下部には、コンテンツアイコンを選択する際に使用する移動ボタンと、最終的な選択結果を指定する決定ボタンとが設けられている。
【００８１】
携帯電話８−ｎの選択受付部４３は、簡易コンテンツアイコン表示部４２が簡易コンテンツアイコンと選択枠をディスプレイ３４に表示すると、利用者がディスプレイ３４に表示されている簡易コンテンツアイコンを見て、所望のコンテンツの簡易コンテンツアイコンを選択する操作を行うまで待機する（ステップＳＴ１２４）。
選択受付部４３は、利用者が移動ボタンを操作すると（ステップＳＴ１２５）、その移動ボタンの操作の受け付けを行う。
【００８２】
携帯電話８−ｎの簡易コンテンツアイコン表示部４２は、選択受付部４３が移動ボタンの操作の受け付けると、利用者による移動ボタンの操作に応じて、簡易コンテンツアイコン及び表示枠の表示を変更する（ステップＳＴ１２６）。
以下、簡易コンテンツアイコン及び表示枠の表示変更について具体的に説明する。
図１８は選択可能な９個のコンテンツのコンテンツアイコンが表示される大画面表示装置６の画面を示す説明図である。
図１８の例では、９個のコンテンツアイコンが２行５列で左上から左詰めで表示されており、アイコンＩＤとして“１”から“９”までの数字が用いられている。
ここでは、携帯電話８−ｎのディスプレイ３４には、１行３列分の簡易コンテンツアイコンの表示が可能であるものとして説明する。
【００８３】
図１９は携帯電話８−ｎの初期画面における簡易コンテンツアイコンの表示例を示しており、選択枠はコンテンツアイコン（１）に対応する簡易コンテンツアイコン上に表示している。
この状態において、利用者が、例えば、右移動を指示する移動ボタンを押すと、図２０に示すように、選択枠の表示位置がコンテンツアイコン（２）に対応する簡易コンテンツアイコン上に変更される。
さらに、利用者が、例えば、右移動を指示する移動ボタンを押すと、図２１に示すように、選択枠の表示位置がコンテンツアイコン（３）に対応する簡易コンテンツアイコン上に変更される。
【００８４】
携帯電話８−ｎのディスプレイ３４は、上述したように、１行３列分の簡易コンテンツアイコンの表示であり、さらに、利用者が、例えば、右移動を指示する移動ボタンを押すと、図２１の状態では、表示されていないコンテンツアイコン（４）に対応する簡易コンテンツアイコンを表示する必要があるため、図２２に示すように、コンテンツアイコン（２）〜（４）に対応する簡易コンテンツアイコンを表示するように変更される。
このとき、選択枠の表示位置はコンテンツアイコン（４）に対応する簡易コンテンツアイコン上に変更される。
【００８５】
さらに、利用者が、例えば、右移動を指示する移動ボタンを押すと、図２２の状態では、表示されていないコンテンツアイコン（５）に対応する簡易コンテンツアイコンを表示する必要があるため、図２３に示すように、コンテンツアイコン（３）〜（５）に対応する簡易コンテンツアイコンを表示するように変更される。
このとき、選択枠の表示位置はコンテンツアイコン（５）に対応する簡易コンテンツアイコン上に変更される。
【００８６】
図２３の状態において、利用者が、例えば、下移動を指示する移動ボタンを押すと、図２４に示すように、コンテンツアイコン（７）〜（９）に対応する簡易コンテンツアイコンを表示するように変更される。
このとき、選択枠の表示位置はコンテンツアイコン（９）に対応する簡易コンテンツアイコン上に変更される。
図１８の例では、コンテンツアイコン（５）の下には、コンテンツアイコンが存在しないので、コンテンツアイコン（８）（９）に対応する簡易コンテンツアイコンのみを表示するように変更してもよいが、ここでは、常に、３個の簡易コンテンツアイコンを表示するルールを採用している。
【００８７】
ここで、選択可能な９個のコンテンツのコンテンツアイコンが、２行５列で左上から左詰めでディスプレイ３に表示されているものについて示したが、選択可能なコンテンツのコンテンツアイコンが６個又は７個である場合、２行目のコンテンツアイコンの個数が、簡易コンテンツアイコンの表示可能数（３個）以下になる。
この場合には、図２５及び図２６に示すように、コンテンツアイコン（６）（７）に対応する簡易コンテンツアイコンを表示するようにすればよい。
【００８８】
携帯電話８−ｎの選択受付部４３は、上記のようにして、簡易コンテンツアイコン表示部４２が簡易コンテンツアイコンと選択枠を変更すると、さらに、利用者がディスプレイ３４に表示されている簡易コンテンツアイコンを見て、所望のコンテンツの簡易コンテンツアイコンを選択する操作を行うまで待機する（ステップＳＴ１２４）。
選択受付部４３は、利用者が決定ボタンを操作すると（ステップＳＴ１２５、ＳＴ１２７）、その決定ボタンの操作の受け付けを行う。
【００８９】
携帯電話８−ｎの決定情報送信部４４は、選択受付部４３が決定ボタンの操作を受け付けると、現在選択枠が指し示している簡易コンテンツアイコンを示すアイコンＩＤをコンテンツデータの取得要求に含め、ネットワークＩ／Ｆ３１を介して、コンテンツデータの取得要求を大画面表示装置６に送信する（ステップＳＴ１２８）。
【００９０】
コンテンツ表示装置７のデータ取得要求受信部２３は、ネットワークＩ／Ｆ１４が携帯電話８−ｎから送信されたコンテンツデータの取得要求を受信すると（図１４のステップＳＴ３２〜ＳＴ３５）、そのコンテンツデータの取得要求に含まれているアイコンＩＤを取り出し、そのアイコンＩＤと一緒にデータの送信指令をデータ送信部２４に出力する。
コンテンツ表示装置７のデータ送信部２４は、データ取得要求受信部２３からデータの送信指令とアイコンＩＤを受けると、コンテンツデータベース２１からアイコンＩＤが示す簡易コンテンツアイコンに対応するコンテンツに関するデータを取得する。
データ送信部２４は、コンテンツデータベース２１からコンテンツに関するデータを取得すると、ネットワークＩ／Ｆ１４を介して、そのコンテンツに関するデータを携帯電話８−ｎに送信する（ステップＳＴ３６）。
【００９１】
携帯電話８−ｎのデータ送受信部３７は、決定情報送信部４４がコンテンツデータの取得要求を大画面表示装置６に送信したのち、ネットワークＩ／Ｆ３１が大画面表示装置６から送信されたコンテンツに関するデータを受信すると（図１５のステップＳＴ１２９）、そのコンテンツに関するデータをデータ表示部３８に出力する。
携帯電話８−ｎのデータ表示部３８は、データ送受信部３７からコンテンツに関するデータを受けると、ディスプレイ表示制御部３３を介して、コンテンツに関するデータをディスプレイ３４の中央部に表示する（ステップＳＴ１３０）。
【００９２】
以上で明らかなように、この実施の形態３によれば、携帯電話８−ｎが大画面表示装置６のディスプレイ３に表示されているコンテンツアイコンより簡易な簡易コンテンツアイコンをディスプレイ３４に表示するとともに、現在選択中の簡易コンテンツアイコンを特定する選択枠をディスプレイ３４に表示するように構成したので、他人に知られないように利用者がコンテンツを選択することができるとともに、大画面表示装置６の利用者が大人数になっても、各利用者が現在選択中のコンテンツを容易に確認することができる効果を奏する。
【図面の簡単な説明】
【００９３】
【図１】この発明の実施の形態１によるコンテンツ選択システムを示す構成図である。
【図２】この発明の実施の形態１による大画面表示装置１のコンテンツ表示装置２を示す構成図である。
【図３】この発明の実施の形態１による携帯情報端末（携帯電話５−ｎ）を示す構成図である。
【図４】この発明の実施の形態１による大画面表示装置１の処理内容を示すフローチャートである。
【図５】この発明の実施の形態１による携帯情報端末（携帯電話５−ｎ）の処理内容を示すフローチャートである。
【図６】選択可能なＭ個のコンテンツのコンテンツアイコンが表示される初期画面を示す説明図である。
【図７】コンテンツアイコンの表示内容を示す説明図である。
【図８】コンテンツアイコン、選択アイコン及びダミーアイコンの表示例を示す説明図である。
【図９】ダミーアイコンの移動処理を示すフローチャートである。
【図１０】選択アイコンが表示される携帯電話５−ｎの初期画面を示す説明図である。
【図１１】この発明の実施の形態３によるコンテンツ選択システムを示す構成図である。
【図１２】この発明の実施の形態３による大画面表示装置６のコンテンツ表示装置２を示す構成図である。
【図１３】この発明の実施の形態３による携帯情報端末（携帯電話８−ｎ）を示す構成図である。
【図１４】この発明の実施の形態３による大画面表示装置６の処理内容を示すフローチャートである。
【図１５】この発明の実施の形態３による携帯情報端末（携帯電話８−ｎ）の処理内容を示すフローチャートである。
【図１６】コンテンツアイコンの表示内容を示す説明図である。
【図１７】簡易コンテンツアイコンが表示される携帯電話８−ｎの初期画面を示す説明図である。
【図１８】選択可能な９個のコンテンツのコンテンツアイコンが表示される大画面表示装置６の画面を示す説明図である。
【図１９】携帯電話８−ｎの初期画面における簡易コンテンツアイコンの表示例を示す説明図である。
【図２０】簡易コンテンツアイコン及び選択枠の表示例を示す説明図である。
【図２１】簡易コンテンツアイコン及び選択枠の表示例を示す説明図である。
【図２２】簡易コンテンツアイコン及び選択枠の表示例を示す説明図である。
【図２３】簡易コンテンツアイコン及び選択枠の表示例を示す説明図である。
【図２４】簡易コンテンツアイコン及び選択枠の表示例を示す説明図である。
【図２５】簡易コンテンツアイコン及び選択枠の表示例を示す説明図である。
【図２６】簡易コンテンツアイコン及び選択枠の表示例を示す説明図である。
【符号の説明】
【００９４】
１，６  大画面表示装置、２，７  コンテンツ表示装置、３，３４  ディスプレイ、４  ネットワーク、５−１〜５−Ｎ，８−１〜８−Ｎ  携帯電話（携帯情報端末）、１１，２１  コンテンツデータベース、１２  コンテンツアイコン表示部（コンテンツアイコン表示手段）、１３，３３  ディスプレイ表示制御部、１４，３１  ネットワークＩ／Ｆ、１５  選択アイコン通知部（選択アイコン通知手段）、１６  選択アイコン表示部（コンテンツアイコン表示手段）、１７  ダミーアイコン表示部（ダミーアイコン表示手段）、１８  選択情報受信部（選択情報受信手段）、１９  アイコン移動部（アイコン移動手段）、２０，２４  データ送信部、２２  簡易コンテンツアイコン通知部（簡易コンテンツアイコン通知手段）、２３  データ取得要求受信部（選択情報受信手段）、３２  選択アイコン提示部（選択アイコン提示手段）、３５，４３  選択受付部（選択受付手段）、３６  選択情報送信部（選択情報送信手段）、３７  データ送受信部、３８  データ表示部、４１  簡易コンテンツアイコン取得部（簡易コンテンツアイコン表示手段）、４２  簡易コンテンツアイコン表示部（簡易コンテンツアイコン表示手段）、４４  決定情報送信部（選択情報送信手段）。
【図１】
2008269243.tif 000003
【図２】
2008269243.tif 000004
【図３】
2008269243.tif 000005
【図４】
2008269243.tif 000006
【図５】
2008269243.tif 000007
【図６】
2008269243.tif 000008
【図７】
2008269243.tif 000009
【図８】
2008269243.tif 000010
【図９】
2008269243.tif 000011
【図１０】
2008269243.tif 000012
【図１１】
2008269243.tif 000013
【図１２】
2008269243.tif 000014
【図１３】
2008269243.tif 000015
【図１４】
2008269243.tif 000016
【図１５】
2008269243.tif 000017
【図１６】
2008269243.tif 000018
【図１７】
2008269243.tif 000019
【図１８】
2008269243.tif 000020
【図１９】
2008269243.tif 000021
【図２０】
2008269243.tif 000022
【図２１】
2008269243.tif 000023
【図２２】
2008269243.tif 000024
【図２３】
2008269243.tif 000025
【図２４】
2008269243.tif 000026
【図２５】
2008269243.tif 000027
【図２６】
2008269243.tif 000028